(57)【特許請求の範囲】
【請求項１】
柔軟性を有する熱可塑性樹脂からなり腰壁シートまたは床面から壁面に沿って立ち上げた床シートの見切り端部に配設される見切り材であって、
上記見切り材は、上記シートの見切り端部の厚みとほぼ同じ半径を有し下端面が平坦な断面略四半円形状をなし、上縁に壁面に対して付勢接触する断面略嘴形状をした圧接縁を延設すると共に、下縁には、上記シートの見切り端部と接合される、上記見切り材の下端面及び上記シートの裏面に至る先細り状に垂下延設された接着縁を有することを特徴とする見切り材。
【請求項２】
腰壁シートまたは床面から壁面に沿って立ち上げた床シートの見切り端部に、予め請求項１記載の見切り材の前記下端面及び前記接着縁を熱溶着または溶剤溶着により接合しておき、該見切り材を上記シートと一緒に壁面に貼り付けるようにしたことを特徴とする見切り材の施工方法。
【発明の詳細な説明】
【０００１】
【発明の属する技術分野】
本発明は、建物の壁面下部に貼り付けられた腰壁シートや床面から壁面に沿って立ち上げられた床シート等、これらシートの境界部（見切り端部）に配設される見切り材及びその施工方法に関するものである。
【０００２】
【従来の技術】
近年、一般住宅や病院および老健施設における廊下・居室等において、車椅子やストレッチャーなどの接触による壁面の保護を図ると共に汚れ防止を目的として、概ね床面から１ｍ位の壁面下部に、腰壁シートを設置したり、床面から壁面に沿って床シートを立ち上げて施工することが多くなってきており、その際に、上記腰壁シートや床シートの見切り端部には見切り材が設けられる。
しかし乍ら、従来の見切り材は、木製や金属製または硬質プラスチック製等の硬い材質で形成されていたため、人が思わぬことでぶつかると怪我をする惧れがあると共に、壁面に不陸があると壁面と見切り材との間に隙間ができてほこりが溜まったり見栄えが悪くなる等の不具合があった。
しかも、上記腰壁シートや床シートの見切り端部は、床面からおよそ１ｍ位の壁面下部に位置することになるため、見切り材との納め作業を中腰の状態で行なわなければならず、施工が面倒で時間がかかる不具合があった。
【０００３】
【発明が解決しようとする課題】
本発明はこのような現状に鑑みてなされたものであり、見切り材とシート（腰壁シートや床シート）に一体感を持たせることが出来ると共に、人がぶつかった場合でも怪我をする惧れがほとんどなく、且つ壁面に不陸があった場合でも壁面との間に隙間が生じることがなく、しかも施工性が良い見切り材及びその施工方法を提供せんとするものである。
【０００４】
【課題を解決するための手段】
斯かる目的を達成する本発明の見切り材は、柔軟性を有する熱可塑性樹脂からなり腰壁シートまたは床面から壁面に沿って立ち上げた床シートの見切り端部に配設される見切り材であって、上記見切り材は、上記シートの見切り端部の厚みとほぼ同じ半径を有し下端面が平坦な断面略四半円形状をなし、上縁に壁面に対して付勢接触する断面略嘴形状をした圧接縁を延設すると共に、下縁には、上記シートの見切り端部と接合される、上記見切り材の下端面及び上記シートの裏面に至る先細り状に垂下延設された接着縁を有することを特徴としたものである。
また、本発明の見切り材の施工方法は、腰壁シートまたは床面から壁面に沿って立ち上げた床シートの見切り端部に、予め請求項１記載の見切り材の前記下端面及び前記接着縁を熱溶着または溶剤溶着により接合しておき、該見切り材を上記シートと一緒に壁面に貼り付けるようにしたことを特徴としたものである。
【０００５】
【発明の実施の形態】
以下、本発明の具体的な好適実施例を図面に基づいて詳細に説明するが、本発明は図示実施例のものに限定されるものではなく、いろいろなバリエーションが考えられる。
【０００６】
本発明に係る見切り材Ａは、柔軟性を有する熱可塑性樹脂を用い、通常の樹脂用押出し成形機または多層押出し成形機を使用して、適宜長さを有する長尺状に形成されると共に、その正面側に、印刷による図柄模様や成形による絞模様や形状による意匠等の適宜所望のデザインが施され、建物の壁面の天井側から床面Ｂに向けて貼り付けた腰壁シートまたは建物の床面Ｂから壁面Ｃに沿って立ち上げた床シート（以下、単にシートと称する。）Ｄの見切り端部Ｄ’に配置されて、壁面Ｂに対して接着剤で貼り着け設置される。また、多層押出し成形機を使用すれば、２種以上の樹脂または２色以上の組み合わせの見切り材Ａを形成することが出来る。
ちなみに、図２は適用するシートＤとして、建物の床面Ｂから壁面Ｃに沿って立ち上げた床シートの例を示し、図中の符号ＥはシートＤと同種又は異種の床材を示し、符号ＦはシートＤと床材Ｅを溶接した溶接痕を示すものである。
【０００７】
見切り材Ａは、その断面形状が上記シートＤの見切り端部Ｄ’の厚みＬ１とほぼ同じ半径を有し下端面１が平坦な略四半円形状をした長尺状に形成され、その上縁に壁面Ｃに対して付勢接触する断面略嘴形状をした圧接縁２を当該見切り材Ａの全長にわたって延設すると共に、下縁には上記シートＤの見切り端部Ｄ’の裏面Ｄ１’に至る接着縁３を当該見切り材Ａの全長にわたって延設してなる。
尚、見切り材Ａの厚みＬ２は、シートＤの厚みＬ１に応じて設定されるが、図示実施例の如く、当該見切り材ＡをシートＤの見切り端部Ｄ’に接合した時に、見切り端部Ｄ’が当該見切り材Ａの下端面１から飛び出さないような厚みに形成することが好ましい。また、見切り材Ａの幅Ｌ３については格別制限はないが、１ｍｍ〜１５ｍｍ、好ましくは２ｍｍ〜１０ｍｍに形成する。
【０００８】
圧接縁２は、壁面Ｃに多少不陸があった場合でもその不陸を吸収して見切り材Ａ上縁の裏面側と壁面Ｃとの間に隙間が生じないようにするためのものであり、壁面Ｃに対して付勢接触するように、鷲の嘴のように鋭く先が曲がった断面略嘴形状に形成すると共に、その先端辺２’が壁面Ｃに向かって当該見切り材Ａの裏面（接着面）４より少し突出するように形成する。
【０００９】
また、見切り材Ａの下縁に延設する接着縁３は、当該見切り材ＡをシートＤの見切り端部Ｄ’に接合させる際により強固に接合させるためのものであり、見切り材Ａの下端面１より下側に向けて、シートＤの見切り端部Ｄ’を当該見切り材Ａの下端面１に当接させた時に見切り端部Ｄ’の裏面Ｄ１’にまで至る長さＬ４に、先細り状に垂下形成してなる。
【００１０】
見切り材Ａを形成する合成樹脂としては、シートＤと熱溶着または溶剤溶着により接合し且つ柔軟性を有する熱可塑性樹脂であれば特に限定されるものではなく、具体的には、塩化ビニル系樹脂，塩素化ポリエチレン等の含ハロゲン樹脂，ポリエチレン，ポリプロピレン，エチレン−αオレフィン共重合樹脂，プロピレン−αオレフィン共重合樹脂，エチレン−酢酸ビニル共重合樹脂，エチレン−アクリル酸エステル共重合樹脂，エチレン−メタクリル酸エステル共重合樹脂，エチレン−アクリル酸共重合樹脂等のオレフィン系樹脂，オレフィン系熱可塑性エラストマー，スチレン系熱可塑性エラストマー，ポリエステル系熱可塑性エラストマー，ウレタン系熱可塑性エラストマー等の熱可塑性エラストマー、等を挙げることができる。
【００１１】
而して、本見切り材Ａを壁面Ｃに設置する施工を行なう場合には、シートＤの見切り端部Ｄ’に、予め、本見切り材Ａの下端面１及び接着縁３を熱溶着または溶剤溶着により一体的に接合しておき、然る後に該見切り材ＡをシートＤと一緒に壁面Ｃに接着剤で貼り付けるようにする。
ここで用いる接着剤としては、周知の両面接着（粘着）テープや、ゴム系，エポキシ系，ウレタン系，酢酸ビニル系，アクリル系等の液状接着剤が好適に使用できる。
【００１２】
次に、具体的な実施例を説明する。
＜実施例１＞
熱可塑性樹脂として、下記配合の軟質ポリ塩化ビニル（ＰＶＣ）を用い、単軸押出機により、図１（ａ）の見切り材Ａを成形した。
0004733854.tif 000002
溶剤としてテトラヒドロフランを用い、成形した見切り材Ａを、厚みが３ｍｍのポリ塩化ビニル製腰壁シートＤの見切り端部Ｄ’に溶剤溶着し、然る後に、図１（ｂ）に示す如く上記シートと一緒に壁面Ｃに貼り付けたところ、当該見切り材Ａと腰壁シートＤに一体感があり、壁面との間に隙間もなく見栄えよく仕上がった。
【００１３】
＜実施例２＞
熱可塑性樹脂として、熱可塑性オレフィン（キャタロイ社製  ＫＳ０２１Ｐ）を用い、単軸押出機により、図１（ａ）の見切り材Ａを成形した。
床面Ｂから壁面Ｃに沿って立ち上げた熱可塑性オレフィン（キャタロイ社製  ＫＳ３５３Ｐ）製床シートＤの見切り端部Ｄ’に熱風溶接機を用いて熱溶着し、然る後に、上記シートと一緒に壁面Ｃに貼り付けたところ、当該見切り材と床シートＤに一体感があり、壁面Ｃとの間に隙間もなく見栄えよく仕上がった。
【００１４】
【発明の効果】
本発明に係る見切り材は斯様に、柔軟性を有する熱可塑性樹脂からなり腰壁シートまたは床面から壁面に沿って立ち上げた床シートの見切り端部に配設される見切り材であって、上記見切り材は、上記シートの見切り端部の厚みとほぼ同じ半径を有し下端面が平坦な断面略四半円形状をなし、上縁に壁面に対して付勢接触する断面略嘴形状をした圧接縁を延設すると共に、下縁には、上記シートの見切り端部と接合される、上記見切り材の下端面及び上記シートの裏面に至る先細り状に垂下延設された接着縁を有するので、見切り材をシート（床シートや腰壁シート）の見切り端部に接合させた際に見切り材とシートに一体感を持たせることが出来ると共に、人が思わぬことでぶつかった場合でも怪我をする惧れがほとんどない。
【００１５】
しかも、見切り材の上縁には壁面に対して付勢接触する断面略嘴形状をした圧接縁を延設してなるので、壁面に不陸があった場合でもその不陸を圧接縁で吸収して壁面との間に隙間が生ずることがなく、よって見栄えの良い施工を行なうことが出来る。
【００１６】
また、本発明に係る見切り材の施工方法によれば、腰壁シートまたは床面から壁面に沿って立ち上げた床シートの見切り端部に、予め前記見切り材の下端面及び接着縁を熱溶着または溶剤溶着により接合しておき、該見切り材を上記シートと一緒に壁面に貼り付けるようにしたので、中腰状態で行なうことが多い見切り材と上記シートの見切り端部との納め作業を見栄え良く簡便に行なうことが可能となり、見切り材の施工性を向上させることが出来る。
しかも、見切り材を、予め工場出荷段階でシートの見切り端部に熱溶着または溶剤溶着により一体的に接合しておくことも可能となり、そうすれば現場での施工性が一層のこと向上する。
【図面の簡単な説明】
【図１】  本発明実施の一例を示す断面図であり、（ａ）は見切り材をシートの見切り端部に接合する前の状態を示し、（ｂ）は見切り材をシートの見切り端部に接合した状態を示す。
【図２】  本発明に係る見切り材の設置状態を説明する模式断面図。
【符号の説明】
Ａ：見切り材                      Ｂ：床面
Ｃ：壁面                          Ｄ：シート
Ｄ’：見切り端部
１：下端面                        ２：圧接縁
３：接着縁                        ４：裏面
【図１】
0004733854.tif 000003
【図２】
0004733854.tif 000004